(57)【要約】【課題】  複数個並べた各育成トレイ２において種類の異なる植物を育成する場合において、前記各育成トレイに対して、当該育成トレイで植物の育成に適合するように的確に潅水する。【解決手段】  複数個の育成トレイ２の各々に対して、これら育成トレイに沿って移動する潅水装置４によって潅水する場合に、前記各育成トレイの各々に、当該各育成トレイで育成する植物に適合する潅水情報を記憶した情報記憶素子３を取付ける一方、潅水装置４は、前記各育成トレイの箇所に移動した時点で、当該育成トレイに取付けられている情報記憶素子３から潅水情報を読み取り、この潅水情報に基づいて潅水する。【選択図】              図１
2005237325.tif 000002
【特許請求の範囲】
【請求項１】
複数個の育成トレイの各々に対して、これら育成トレイに沿って移動する潅水装置によって潅水するという潅水方法において、
前記各育成トレイの各々に、当該各育成トレイで育成する植物に適合する潅水情報を記憶した情報記憶素子を取付ける一方、潅水装置は、前記各育成トレイの箇所に移動した時点で、当該育成トレイに取付けられている情報記憶素子から潅水情報を読み取り、この潅水情報に基づいて潅水することを特徴とする植物の育成トレイにおける潅水方法。
【請求項２】
前記請求項１の記載において、前記情報記憶素子は、これに記憶した潅水情報が書き換え可能であるか、或いは、育成トレイに対して着脱可能であることを特徴とする植物の育成トレイにおける潅水方法。
【発明の詳細な説明】
【技術分野】
【０００１】
本発明は、野菜又は稲の苗木等のような植物を、育成トレイにおいて発芽して育成する場合において、前記育成トレイに対して水を散布するための潅水方法に関するものである。
【背景技術】
【０００２】
一般に、野菜又は稲の苗木等のような植物の生産に際しては、従来から良く知られているように、育成トレイを使用し、この育成トレイに播種したのち水の散布（潅水）にて発芽して育成するという方法を採用している。
【０００３】
この場合、前記育成トレイに対する潅水には、例えば、特許文献１に記載されているような自動潅水方法が採用されている。
【０００４】
すなわち、横に並べた複数個の各育成トレイの各々に対して、これら各育成トレイに沿って移動する潅水装置にて、自動的に潅水するという方法である。
【特許文献１】特開平３―２６６９２０号公報
【発明の開示】
【発明が解決しようとする課題】
【０００５】
しかし、前記した従来における自動潅水方法は、総ての育成トレイに対して同じ条件で潅水を行うものであるから、前記総ての育成トレイにおいて同じ植物を育成する場合には有効に適用できるが、例えば、一つの温室内に、多数個並べられている一部の育成トレイでトマトを育成し、他の育成トレイにおいて南瓜を育成するというように、複数種類の植物を複数個の育成トレイにて同時に育成する場合には、潅水の条件が各植物ごとに相違するために、前記した自動潅水方法は適用することができない。
【０００６】
この場合、前記移動式の潅水装置に、各育成トレイを並べるときにおける配列順序と、この各育成トレイごとに潅水情報とをマップとして記憶して、これに従って潅水を行うように構成することが考えられるが、この方法では、各育成トレイの配列順序と、各育成トレイごとに対する潅水情報との両方を、一々入力しなければならないから、操作がきわめて面倒であるばかりか、各育成トレイの並べ順序が変わった場合に、これに容易に対応することができない。
【０００７】
本発明は、複数種類の植物を、複数個の育成トレイにて同時に育成する場合に、各育成トレイに対して、当該育成トレイで育成される植物に適合する潅水情報に基づいて的確に潅水することが簡単にできるようにした潅水方法を提供することを技術的課題とする。
【課題を解決するための手段】
【０００８】
この技術的課題を達成するため本発明の請求項１は、
「複数個の育成トレイの各々に対して、これら育成トレイに沿って移動する潅水装置によって潅水するという潅水方法において、
前記各育成トレイの各々に、当該各育成トレイで育成する植物に適合する潅水情報を記憶した情報記憶素子を取付ける一方、潅水装置は、前記各育成トレイの箇所に移動した時点で、当該育成トレイに取付けられている情報記憶素子から潅水情報を読み取り、この潅水情報に基づいて潅水する。」
ことを特徴としている。
【０００９】
また、本発明の請求項２は、
「前記請求項１の記載において、前記情報記憶素子は、これに記憶した潅水情報が書き換え可能であるか、或いは、育成トレイに対して着脱可能である。」
ことを特徴としている。
【発明の効果】
【００１０】
本発明の請求項１は、前記したように、潅水装置が、各育成トレイの箇所に移動した時点で、この育成トレイに対して、当該育成トレイに取付けられている情報記憶素子から読み取った潅水情報に基づいて潅水を行うことにより、複数個の各育成トレイに対して、当該育成トレイにおける植物に適合した潅水情報に基づいて的確に潅水することができる。
【００１１】
従って、複数個の育成トレイによって複数種類の植物を育成する場合に確実に適用できるのであり、しかも、潅水情報を各育成トレイについて変えることが、当該育成トレイに取付けられている情報記憶素子からの直接的な読み取りによって至極簡単にでき、その上、前記各育成トレイの並べ順序が変わった場合にも、これに容易に対応できる。
【００１２】
また、本発明の請求項２によると、各育成トレイに取付けた情報記憶素子が書き換え可能であるか、或いは、育成トレイに対して着脱可能であることにより、一つの育成トレイを、複数種類の植物の育成に、繰り返して使用できる利点がある。
【発明を実施するための最良の形態】
【００１３】
以下、本発明の実施の形態を、図面について説明する。
【００１４】
図１及び図２において、符号１は、温室又は栽培ハウス等の栽培場所に敷設したレールを、符号２は、前記レール１の左右又は片側に、当該レール１に沿って配設した複数個の育成トレイを各々示し、前記各育成トレイ２のうち前記レール１側の側面には、ＩＣチップ３等の記憶素子が装着され、このＩＣチップ３には、当該ＩＣチップ３が取付けられる育成トレイ２で育成する植物に対する最適の潅水情報、例えば、生育日数に応じた一日当たりの潅水回数及び潅水量等が記憶されているほか、施肥、防除情報等の栽培情報もともに記憶されている。
【００１５】
この場合、前記ＩＣチップ３は、これに記憶する潅水情報が書き換え可能に構成されているか、或いは、各育成トレイ２に対して着脱可能に装着されている。
【００１６】
前記レール１上には、潅水装置４が、当該レール１に沿って移動するように設けられ、この潅水装置４は、これに自身の搭載したモータ又はエンジンにて移動走行するか、ケーブルワイヤの牽引にて移動走行するように構成され、この潅水装置４には、前記育成トレイ２の上方を横向きに延びる散水管５を備えて、この散水管５の下面に、多数個の小孔５ａを穿設することにより、前記潅水装置４が前記レール１に沿って移動するときにおいて、前記各育成トレイ２に対して水を散布するように構成している。
【００１７】
これに加えて、前記潅水装置４は、前記各育成トレイ２に装着のＩＣチップ３に記憶した情報を読み取るための読取手段６を備えて、以下に述べるようにして、前記各育成トレイ２に対しての潅水作業を行うものである。
【００１８】
すなわち、前記潅水装置４による潅水作業の具体的な手順について説明する。先ず、前記潅水装置４は、前記レール１上を、適宜時間の間隔で往復移動するもので、この移動の途中において、任意箇所における育成トレイ２に来たとき、この育成トレイ２におけるＩＣチップ３に記憶されている潅水情報から播種した日付を読み取り生育日数を算出するとともに、この生育日数に応じた一日に必要な潅水回数Ｎ０及び所定の時間帯を読み取る。
【００１９】
次に、前記ＩＣチップ３に予め記憶されている実績潅水回数Ｎ１、つまり、育成トレイ２に対して実際に潅水を行った回数が、前記一日に必要な潅水回数Ｎ０よりも少ないか否かを判断する。
【００２０】
この判断において、Ｎ１≧Ｎ０であれば、すでに潅水を終わったものと認められるから、当該育成トレイ２に対する潅水は行わない。
【００２１】
前記判断において、Ｎ１＜Ｎ０の場合において、先ず、前記所定の時間帯であるか否かを判断し、所定の時間帯でないときには潅水を行わないが、所定の時間帯のときには、その散水管５の下面に穿設されている小孔５ａから水を噴出することにより、前記ＩＣチップ３に予め記憶されている情報に基づいた量の潅水を行う。
【００２２】
この潅水を行うと、前記ＩＣチップ３に予め記憶されている実績潅水回数Ｎ１を、Ｎ１＋１に書き換える。
【００２３】
以上のことを、各育成トレイ２について行うことにより、全ての各育成トレイ２の各々に対して、当該育成トレイ２に育成される植物に適合した潅水情報に基づいて的確に潅水することができるのである。
【００２４】
前記各育成トレイ２での植物の育成が完了すると、この育成トレイ２に装着されているＩＣチップ３における記憶情報を、次に栽培する植物に適合する潅水情報に書き換えるか、或いは、前記育成トレイ２に着脱可能に装着されているＩＣチップを、次に栽培する植物に適合する潅水情報が記憶されているＩＣチップに交換することにより、前記各育成トレイ２を繰り返して使用することができるのである。
【００２５】
なお、前記各育成トレイ２に対する潅水は、一枚の育成トレイの全体にわたって均等に潅水することが望ましいが、一枚の育成トレイの全体にわたって均等に潅水したとしても、この一枚の育成トレイのうち端の部分においては、植物の育成が、中央の部分よりも遅れがちになるし、また、前記のように横向きに延びる散水管５で潅水する場合には、一枚の育成トレイのうち端の部分における潅水量が、中央の部分よりも少なくなる傾向を呈する。
【００２６】
これに対しては、前記散水管５の下面における各小孔５ａの間隔ピッチを、図２に示すように、前記育成トレイ２における端の部分においてｐ１と狭くする一方、中央の部分においてｐ２と広くすることにより、一枚の育成トレイの全体にわたって均等に潅水できるか、或いは、植物の育成を一枚の育成トレイの全体にわたって一様に揃えることができる。
【００２７】
また、一つの栽培場所に、前記した潅水装置４が複数台設けているか、或いは、複数の栽培場所の各々に前記した潅水装置４が設けられている場合においては、これらの各潅水装置４を、無線などの通信インフラを介して集中管理装置に関連し、この集中管理装置によって、全部の潅水装置４を、遠隔地から集中的に制御することができる。
【００２８】
更にまた、前記した潅水装置４には、図２に二点鎖線で示すように、ソーラ７を設けて、このソーラ７を、当該潅水装置４における電源又は補助電源にすることができる。
【図面の簡単な説明】
【００２９】
【図１】本発明の実施の形態を示す平面図である。
【図２】図１のII−II視拡大断面図である。
【符号の説明】
【００３０】
１                      レール
２                      育成トレイ
３                      ＩＣチップ（情報記憶素子）
４                      潅水装置
５                      散水管
６                      情報の読取手段
【図１】
2005237325.tif 000003
【図２】
2005237325.tif 000004